(57)【要約】【課題】ホルダ部の低コスト化を図ることができること。【解決手段】表示灯１は、表示ユニット２と、光照射部３と、ホルダ部４と、ケース５と、カバー６とを備えている。表示ユニット２は、上端面８ｂから入射する光を前側面より放射する板状の導光体８、及び導光体８の前側面に対向して配置されピクトグラム２２が付された透光性を有する表示パネル７からなる。光照射部３は、上端面８ｂから導光体８内に光を照射する。ホルダ部４は、熱伝導率の高い金属で形成され、光照射部３を収納し且つ光照射部３を導光体８の上端面８ｂに近接して対向させる。ケース５は、前面が開口する箱形に形成され、光照射部３の光源を点灯させる点灯装置１５を収納しケース５前面に表示ユニット２及びホルダ部４が取り付けられる。カバー６は、ケース５の前面から露出するホルダ部４を覆うようにケース５に取り付けられる。【選択図】図１
2010145806.tif 000002
【特許請求の範囲】
【請求項１】
一端面から入射する光を少なくとも一側面より放射する板状の導光体、及び前記一側面
に対向して配置され文字やマーク等の表示内容が付された透光性を有する表示パネルから
なる表示ユニットと、前記一端面から前記導光体内に光を照射する光照射部と、前記光照
射部を収納し且つ前記光照射部を前記導光体の前記一端面に近接して対向させる熱伝導率
の高い金属で形成されたホルダ部と、一面が開口する箱形に形成され前記光照射部の光源
を点灯させる点灯装置を収納し前記一面に前記表示ユニット及び前記ホルダ部が取り付け
られるケースと、前記ケースの前記一面から露出する前記ホルダ部を覆うように前記ケー
スに取り付けられるカバーとを備えていることを特徴とする表示灯。
【請求項２】
前記導光体の前記一端面を有する一端部、又は前記導光体の前記一端部を支持する前記
ホルダ部の何れか一方には、前記導光体の前記一端面の長手方向に平行して突条が形成さ
れ、且つ他方には前記突条を前記長手方向にスライド挿入する溝部が設けられていること
を特徴とする請求項１記載の表示灯。
【請求項３】
前記光照射部は、光源たる発光ダイオードと、前記発光ダイオードが実装される細長板
状のプリント配線板とを備え、前記プリント配線板を支持する前記ホルダ部には、前記プ
リント配線板の長手方向に延びる両端部を前記長手方向にスライド挿入する凹部が設けら
れていることを特徴とする請求項１または２記載の表示灯。
【発明の詳細な説明】
【技術分野】
【０００１】
本発明は、公共施設や商業施設等において、誘導、案内、防犯などのために設置される
表示灯に関するものである。
【背景技術】
【０００２】
従来より、オフィスビルや、雑居ビル、マンション、映画館、地下鉄構内、地下街等と
いった様々な公共施設や商業施設において、誘導、案内、防犯などを目的とした種々の表
示灯が設置されている。例えば、上記の様な場所で火災や事故で停電したときに、その場
に居る人々が速やかに避難できるように非常口や避難階段の場所へ誘導するために設置さ
れている誘導灯も表示灯の１つである。この種の表示灯は、一般に導光体及び表示パネル
からなる表示ユニットと、光照射部と、光照射部の光源を点灯させる点灯装置を収納する
ケースとを備えている。導光体は、板状に形成されてなり、一端面から導光体内に入射す
る光を少なくとも一側面より放射する。表示パネルは、導光体の前記一側面に対向して配
置され、文字やマーク等の表示内容が付されていて透光性を有している。そして、光照射
部は導光体の前記一端面から導光体内に光を照射する。
【０００３】
ところで、表示灯には、天井や壁の裏側にケースを配置させる埋め込みタイプのものと
、天井面や壁面に直接取り付けされる直付けタイプのものとがある。例えば、特許文献１
に記載されている表示灯は天井への埋め込みタイプのものであり、この種の表示灯は表示
パネルに付されている表示内容を目視する際にケースが視界に入ることがないためデザイ
ン性に優れている。一方、例えば、特許文献２に記載されている表示灯は天井面への直付
けタイプのものであり、この種の表示灯はケースの上端面を天井面に当接させて容易にネ
ジ止め固定することができるため、施工面及びコスト面で優れている。
【０００４】
また、天井面への直付けタイプの一例として、図４に示すようなものがある。この表示
灯５０は、表示ユニット２と、光照射部３と、光照射部３を支持するホルダ部５１と、ケ
ース５とを備えている。表示ユニット２は、図４（ｂ）に示すように、表示パネル７に拡
散部２３、導光体８及び反射部２４を順に嵌め込んで一体としたものをパネルケース９の
上面から挿入してなる。表示パネル７は、透光性を有する難燃性アクリル樹脂材料から後
面及び上面が開口する扁平な矩形箱に形成されてなり、その前面には表示内容としてピク
トグラム２２が表記されている（図中では非常口への誘導用のシンボル）。導光体８は、
透明アクリル樹脂材料によって矩形板状に形成される。拡散部２３はシート状に形成され
てなり、導光体８の前側面より放射される光をピクトグラム２２が付された表示パネル７
に対して均一に拡散する。また、反射部２４はシート状に形成されてなり、導光体８の後
側面より放射される光を反射する。パネルケース９は、合成樹脂材料によって前面及び上
面が開口する扁平な矩形箱に形成され、その後面の左右周縁には外側へ突出する４つの係
止部９ａ（図中では右側周縁の２つのみ図示）が配設されている。
【０００５】
光照射部３は、図４（ｃ）に示すように、細長矩形板状に形成されたプリント配線板１
１と、プリント配線板１１下面に並設された光源たる複数の発光ダイオード１２とを備え
ている。プリント配線板１１には左右方向に並んで貫通する３つの挿通孔５２が設けられ
ている。また、プリント配線板１１下面の右端部には接続端子１１ａが配設されている。
【０００６】
ホルダ部５１は、図４（ｃ）に示すように、本体部５１ａと一対のエンド部５１ｂとか
ら構成される。本体部５１ａは、熱伝導率の高い金属材（例えば、アルミ材）の押し出し
加工により全体として細長形状に形成されその断面が略Ｌ字形状に形成されてなる。一対
のエンド部５１ｂは、合成樹脂材料によって略矩形板状に形成され、本体部５１ａの左右
両端部に取り付けられる。ホルダ部５１上端部には挿通孔５２と対向する位置に各々ネジ
孔（図示せず）が穿設されている。そして、３本のネジ５３を各々挿通孔５２に挿通し前
記ネジ孔に螺合することにより、光照射部３がホルダ部５１に固定される。尚、ホルダ部
５１にはダイキャストによって本体部とエンド部とが一体に形成されたものもある。
【０００７】
ケース５は、図４（ａ）に示すように、前面が開口する扁平な矩形箱に形成され、発光
ダイオード１２を点灯させる点灯装置１５を収納する。点灯装置１５より導出される接続
線２１のランプコネクタは接続端子１１ａと接続しており、この接続線２１を通じて発光
ダイオード１２へ給電される。そして、ケース５の上面に穿設されている一対のビス孔１
６，１６を通じて天井面に直接ビス止め固定される。また、ケース５の上面には、商用交
流電源（図示せず）と端子台２０の入力端子とを繋ぐ電源接続電線（図示せず）を挿通さ
せるための電線挿通孔１７が貫設されている。
【０００８】
上述の様な表示ユニット２は、図４（ａ）に示すように、ケース５前面をホルダ部５１
とともに塞ぐようにケース５に取り付けられる。すなわち、パネルケース９の４つの係止
部９ａがケース５の左右内壁面に突設されている４つのＬ字片５ａと係合するように、表
示ユニット２後面をケース５前面周縁部に対して上方から下方へスライド移動させること
で、表示ユニット２がケース５に取り付けられる（図中の実線矢印参照）。一方、ホルダ
部５１は、ケース５前面上端部に前方から挿入して、発光ダイオード１２と導光体８の上
端面８ｂとを近接して対向させながら、ケース５前面上端部の隙間を塞ぐように取り付け
られる（図中の点線矢印参照）。
【０００９】
そして、光照射部３の発光ダイオード１２より放射される光が、近接して対向する導光
体８の上端面８ｂから導光体８内部に入射し、反射・屈折を経て導光体８の前側面より放
射されることによって、前記前側面と対向して配置されているピクトグラム２２の付され
た表示パネル７が照らされる。
【特許文献１】特開平５−７２９８１号公報
【特許文献２】実用新案登録第３１０１０１８号公報
【発明の開示】
【発明が解決しようとする課題】
【００１０】
しかしながら、従来の表示灯５０は、ホルダ部５１の本体部５１ａが押し出し加工によ
り形成される場合には、光照射部３から照射される光が本体部５１ａの両端部から外部へ
漏れるのを防いだり外観上の見映えをよくするために、成型品のエンド部５１ｂ，５１ｂ
の取付けが必要であり、その分ホルダ部５１のコストが高くなるという問題があった。ま
た、ダイキャストにより本体部とホルダ部とが一体に形成される場合でも金型代のコスト
が高く、特に直付けタイプと埋め込みタイプとで同じホルダ部を流用することができず、
別々の金型を用意しなくてはいけないという問題があった。
【００１１】
本発明は上記事由に鑑みて為されたものであり、その目的は、ホルダ部の低コスト化を
図ることができる表示灯を提供することにある。
【課題を解決するための手段】
【００１２】
請求項１の発明は、上記目的を達成するために、一端面から入射する光を少なくとも一
側面より放射する板状の導光体、及び前記一側面に対向して配置され文字やマーク等の表
示内容が付された透光性を有する表示パネルからなる表示ユニットと、前記一端面から前
記導光体内に光を照射する光照射部と、前記光照射部を収納し且つ前記光照射部を前記導
光体の前記一端面に近接して対向させる熱伝導率の高い金属で形成されたホルダ部と、一
面が開口する箱形に形成され前記光照射部の光源を点灯させる点灯装置を収納し前記一面
に前記表示ユニット及び前記ホルダ部が取り付けられるケースと、前記ケースの前記一面
から露出する前記ホルダ部を覆うように前記ケースに取り付けられるカバーとを備えてい
ることを特徴とする。
【００１３】
この発明によれば、前記ケースの前記一面から露出する前記ホルダ部を覆うように前記
ケースに取り付けられるカバーとを備えているので、ダイキャストよりもコストの低い押
し出し加工によって前記ホルダ部を形成しても、前記ホルダ部の両端部にエンド部を取り
付けする必要がない。また、直付けタイプであっても埋め込みタイプであっても同一の金
型の押し出し加工により製造されるホルダ部を使用することができる。因って、ホルダ部
の低コスト化を図ることができる。
【００１４】
請求項２の発明は、請求項１の発明において、前記導光体の前記一端面を有する一端部
、又は前記導光体の前記一端部を支持する前記ホルダ部の何れか一方には、前記導光体の
前記一端面の長手方向に平行して突条が形成され、且つ他方には前記突条を前記長手方向
にスライド挿入する溝部が設けられていることを特徴とする。
【００１５】
この発明によれば、前記導光体と前記ホルダ部とがスライド係合するので、前記光照射
部から放射される光の外部への漏れが抑制され、効率良く光を前記導光体の前記一端面に
照射させることができ、光の伝達効率を向上させることができる。
【００１６】
請求項３の発明は、請求項１または２の発明において、前記光照射部は、光源たる発光
ダイオードと、前記発光ダイオードが実装される細長板状のプリント配線板とを備え、前
記プリント配線板を支持する前記ホルダ部には、前記プリント配線板の長手方向に延びる
両端部を前記長手方向にスライド挿入する凹部が設けられていることを特徴とする。
【００１７】
この発明によれば、前記プリント配線板と前記ホルダ部とがスライド係合するので、前
記光照射部の前記ホルダ部への取り付けが容易となり作業性を向上させることができる。
【発明の効果】
【００１８】
本発明では、ホルダ部の低コスト化を図ることができるという効果がある。
【発明を実施するための最良の形態】
【００１９】
以下、本発明の実施形態について、図１〜図３を参照して説明する。尚、本実施形態の
表示灯１の基本的な構成は、一部を除き上述の従来技術における表示灯５０と共通である
ので、共通の構成要素には、同一の符号を付して説明を省略する。本実施形態の表示灯１
は、図１に示すように、表示ユニット２と、光照射部３と、ホルダ部４と、ケース５と、
カバー６とを備えた天井面への直付けタイプのものである。
【００２０】
表示ユニット２は、図１及び図２に示すように、表示パネル７、拡散部２３（図１及び
２には図示せず）、導光体８及び反射部２４（図１及び２には図示せず）を一体としたも
のをパネルケース９の上面から挿入してなる。但し、本実施形態の導光体８は、従来技術
の導光体８と異なり、表示パネル７や拡散部２３、反射部２４と重ね合わせて一体とした
ときに、導光体８の上端部８ａが突出するように他の部材の上下方向の寸法より大きくし
ている。更に、導光体８の上端部８ａには、上端面８ｂの長手方向（図１中の左右方向）
に平行して突条１０が前面と後面とに各々３つずつ並設されている。尚、本実施形態で図
示されているピクトグラム２２は非常口への誘導用のシンボルであるが、これ以外にも例
えば案内、防犯を目的としたマークや、文字、矢印でもよい。
【００２１】
光照射部３は、図１及び図２に示すように、プリント配線板１１と複数の発光ダイオー
ド１２とを備え、プリント配線板１１下面右端部には接続端子１１ａが配設されている。
すなわち、基本的な構成は従来技術の光照射部３と共通である。但し、本実施形態のプリ
ント配線板１１には、ホルダ部４へのネジ止め用の挿通孔５２が設けられていない。
【００２２】
ホルダ部４は、図１及び図２に示すように、熱伝導率の高い金属材（例えば、アルミ材
）の押し出し加工により下面及び左右両端面が開口する細長角筒状に形成されている。そ
して、ホルダ部４開口内の壁面４ａ及び壁面４ｂには、図２に示すように、ホルダ部４の
長手方向両端部に亘って外側へ窪んでなる溝部１３，１３が各々設けられ、更にその上方
には凹部１４，１４が各々設けられている。
【００２３】
そして、光照射部３とホルダ部４とは、図２に示すように、プリント配線板１１の長手
方向に延びる両端部をホルダ部４の凹部１４，１４へスライド挿入することにより係合す
る。また、表示ユニット２とホルダ部４とは、図１及び図２に示すように、導光体８の突
条１０をホルダ部４の溝部１３，１３へスライド挿入することにより係合する（図１中の
破線矢印参照）。
【００２４】
この様に取り付けられて一体となる表示ユニット２、光照射部３及びホルダ部４は、ビ
ス止めによって固定していた従来例の表示灯５０よりも作業性に優れている。また、従来
例の表示灯５０の表示ユニット２とホルダ部５１とは予め互い固定されておらず、ケース
５前面に取り付けることで初めて表示ユニット２の上端部がホルダ部５１の開口する下面
に嵌合し、発光ダイオード１２と導光体８の上端面８ｂとの距離が決定していた。従って
、前記嵌合時に各部材の個体差によって前記距離のバラつきが生じることを考慮して、発
光ダイオード１２と上端面８ｂとの間にある程度のクリアランスを設けていた。しかし、
本実施形態の表示灯１は、ケース５前面に取り付ける以前から表示ユニット２とホルダ部
４とがスライド係合するので、上述の様なクリアランスを設ける必要がなく発光ダイオー
ド１２と導光体８の上端面８ｂとをより近接させて配置させることができる。従って、光
照射部３から放射される光の外部への漏れが抑制され、効率良く光を導光体８の上端面８
ｂに照射させることができ、光の伝達効率を向上させることができる。尚、上述の説明と
は逆に突条１０をホルダ部４側に設けて溝部１３を導光体８側に設けてもよい。
【００２５】
ケース５内の点灯装置１５は、図１に示すように、収納部１８に収納され発光ダイオー
ド１２を点灯させるための電子部品がプリント配線板（図示せず）上に実装されてなる点
灯回路と、収納部１８の左側に配置する収納部１９内に設置される充電可能な二次電池（
図示せず）と、端子台２０とを備えている。端子台２０の入力端子には電源接続電線（図
示せず）の一端部が接続され、電源接続電線の他端部は電線挿通孔１７を通じてケース５
の外部に導出され商用交流電源（図示せず）と接続している。前述の点灯回路は、通常時
用の点灯回路と、非常時用の点灯回路と、充電回路とから構成されている。通常時用の点
灯回路は、商用交流電源から供給される電力で発光ダイオード１２を点灯させる。一方、
非常時用の点灯回路は、停電により商用交流電源からの給電が絶たれたとき、収納部１９
内の二次電池から供給される電力で点灯させる。充電回路は、通常時に商用交流電源の電
力で二次電池の充電を行う。
【００２６】
カバー６は、合成樹脂材料により下面と後面とが開口する細長箱形に形成され、その左
右両端面の後端部には、先端部が外側へ突出した係合片６ａ，６ａがそれぞれ設けられて
いる。
【００２７】
そして、一体となる表示ユニット２、光照射部３及びホルダ部４が、ケース５前面を塞
ぐようにケース５に取り付けられ、カバー６がケース５前面から露出するホルダ部４前面
及び上面を覆うように取り付けられる。すなわち、パネルケース９の４つの係止部９ａが
ケース５の４つのＬ字片５ａと係合するように、表示ユニット２及びホルダ部４の後面を
ケース５前面周縁部に対して上方から下方へスライド移動させることで、表示ユニット２
、光照射部３及びホルダ部４がケース５に取り付けられる（図１中の実線矢印参照）。そ
して、カバー６左右両端面の係合片６ａ，６ａを、ホルダ部４左端部とケース５左内壁面
との隙間、及びホルダ部４右端部とケース５右内壁面との隙間にそれぞれ前方から差し込
み、ケース５の左右内壁面に配設される凹所（図示せず）に弾性係止させることで、カバ
ー６がケース５に取り付けられる。このとき、図２に示すように、カバー６の上面とケー
ス５の上面とを面一とすることで外観上の見映えを良くしている。
【００２８】
この様に本実施形態の表示灯１は、ケース５の前面から露出するホルダ部４を覆うよう
に取り付けられるカバー５を備えているので、ダイキャストよりもコストの低い押し出し
加工によってホルダ部４を形成しても、従来例の本体部５１ａの様に両端部にエンド部５
１ｂを取り付けする必要がない。また、従来例の本体部５１ａは外部へ露出していたので
外観上の見映えを良くするために塗装を行っていたが、本実施形態のホルダ部４は外部に
露出しないので塗装を行う必要もない。因ってホルダ部４の低コスト化を図ることができ
る。
【００２９】
ところで、本実施形態の表示灯は、上述の天井面の直付けタイプの表示灯１以外にも、
図３に示すような天井への埋め込みタイプの表示灯３０であってもよい。尚、表示灯３０
は、基本的な構成が表示灯１と共通であるので、共通の構成要素には、同一の符号を付し
て説明を省略する。
【００３０】
表示灯３０は、表示ユニット３１と、光照射部３と、ホルダ部４と、ケース３２と、カ
バー３３とを備えている。表示ユニット３１は、パネルケース３４を除いて表示灯１と共
通である。すなわち、パネルケース３４は、パネルケース９と異なり４つの係止部９ａが
配設されていない。その代わりにパネルケース３４左右両端の上端部には、外側へ角筒状
に突出する突部３４ａ，３４ａが設けられている。ケース３２は、下面が開口する矩形箱
に形成され点灯装置１５を開口内に収納し、天井（図示せず）へ埋め込みにより取り付け
られる。また、ケース３２の左右内壁面には、各々一対の爪片３２ａ，３２ａが前後方向
に並設されている。この一対の爪片３２ａ，３２ａは、ケース５内側に向かって突出し、
更に互いに向き合うように曲折してなる（図３中では左内壁面後方の爪片３２ａのみ図示
）。カバー３３は矩形板状に形成されてなり、その中心部には細長矩形状に貫通する挿通
部３５が設けられている。また、カバー３３上面の左右端部には線材を略菱形状に曲折し
て形成された一対のバネ体３６，３６が配設されている。
【００３１】
そして、カバー３３は、挿通部３５に光照射部３及びホルダ部４と一体となる表示ユニ
ット３１を挿通させながら、下方からケース３２下面を塞ぐようにケース３２に取り付け
ている。このとき、バネ体３６，３６は弾性変形により前後方向の幅を縮ませながら一対
の爪片３２ａと３２ａとの隙間へ各々挿入される。そして、バネ体３６の前後幅の最も大
きい箇所が爪片３２ａ，３２ａを通過すると、バネ体３６，３６は弾性復元力により前後
幅を拡げながら爪片３２ａ，３２ａに各々係止する。尚、突部３４ａ，３４ａがカバー３
３の挿通部３５周縁に係止することにより、表示ユニット３１がカバー３３より下方へ抜
け落ちることはない。
【００３２】
この様に本実施形態の表示灯３０は、ケース３２の下面から露出するホルダ部４を覆う
ように取り付けられるカバー３３を備えているので、ダイキャストよりもコストの低い押
し出し加工によってホルダ部４を形成しても、従来例の本体部５１ａの様に両端部にエン
ド部５１ｂを取り付ける必要がない。因ってホルダ部の低コスト化を図ることができる。
【００３３】
そして、以上説明した様に直付けタイプの表示灯１であっても埋め込みタイプの表示灯
３０であってもそれぞれカバー６、カバー３３を備えることで、同一の金型の押し出し加
工により製造されるホルダ部４を使用することができる。従って、より一層ホルダ部の低
コスト化を図ることができる。
【図面の簡単な説明】
【００３４】
【図１】本発明の実施形態の分解斜視図である。
【図２】同上における要部断面図である。
【図３】同上における天井埋め込みタイプの分解斜視図である。
【図４】従来の直付けタイプの表示灯の一例を示し、（ａ）は表示灯の分解斜視図で、（ｂ）は表示ユニットの分解斜視図で、（ｃ）は光照射部及びホルダ部の斜視図である。
【符号の説明】
【００３５】
１  表示灯
２  表示ユニット
３  光照射部
４  ホルダ部
５  ケース
６  カバー
７  表示パネル
８  導光体
８ｂ  上端面
１５  点灯装置
２２  ピクトグラム
【図１】
2010145806.tif 000003
【図２】
2010145806.tif 000004
【図３】
2010145806.tif 000005
【図４】
2010145806.tif 000006